(57)【要約】【課題】プレフィルタのメンテナンスの手間を低減する自動清掃装置として吸引ノズルによる吸引方式を用いる場合、吸引ノズルによってプレフィルタ上の塵埃は除去されるが、空気清浄フィルタに付着した塵埃は除去されず、空気清浄機能が低下するという課題があった。【解決手段】プレフィルタとプレフィルタ上を左右に駆動する吸引ノズルと吸引ノズルに連通された吸引装置により構成されるフィルタ清掃装置を具備する空気調和機において、プレフィルタの直裏に空気清浄フィルタを配置し、吸引ノズルにてプレフィルタ上に付着した塵埃を吸引除去すると同時に、空気清浄フィルタに付着した細かな塵埃も吸引除去することが可能となり、細かな塵埃の堆積による空気清浄フィルタの機能低下を防止することができる。【選択図】図２
2010096407.tif 000002
【特許請求の範囲】
【請求項１】
プレフィルタと、前記プレフィルタと相対的に移動する吸引ノズルと、前記吸引ノズルに連結された吸引装置とを有し、前記吸引ノズルと前記プレフィルタとが相互に相対的に移動し、前記プレフィルタ上の塵埃を除去するフィルタ清掃装置を有する空気調和機において、前記プレフィルタの下流側に配置される空気清浄フィルタを前記プレフィルタの裏面に略当接して配置し、前記フィルタ清掃装置により前記プレフィルタに付着した塵埃を除去する際に、前記空気清浄フィルタに付着した塵埃をも共に除去することができる空気調和機。
【請求項２】
前記空気清浄フィルタの形状は平板状とし、該平面を前記プレフィルタの裏面に略当接したことを特徴とする請求項１記載の空気調和機。
【発明の詳細な説明】
【技術分野】
【０００１】
本発明は、フィルタの清掃を自動的に行うようにした空気調和機に関するものである。
【背景技術】
【０００２】
従来、この種の空気調和機のフィルタ清掃装置は、プレフィルタの表面の塵埃を除去するものであり、このことによりプレフィルタのメンテナンスの手間を省き、使用者に利便性を提供することを目的にしたものであった（例えば、特許文献１参照）。
【特許文献１】特開２００７−１０７８２７号公報
【発明の開示】
【発明が解決しようとする課題】
【０００３】
しかしながら、前記従来の構成では、プレフィルタに付着した塵埃を除去することは可能であるが、プレフィルタの下流側に配置され、室内空気を清浄するための空気清浄フィルタに付着した細かな塵埃を除去することは不可能であり、空気清浄フィルタに付着した細かな塵埃が前記空気清浄フィルタに堆積し、空気調和機より取り外して清掃しなければ当該空気清浄機能が低下する課題を有していた。
【０００４】
本発明は、前記従来の課題を解決するもので、フィルタ清掃装置により、プレフィルタの塵埃の除去と同時に空気清浄フィルタに付着した細かな塵埃を除去し、空気清浄フィルタの空気清浄機能が低下することを防ぐことができる空気調和機を提供することを目的とする。
【発明の効果】
【０００５】
本発明の空機調和機は、プレフィルタと相対的に移動する吸引ノズルがプレフィルタ上の塵埃を除去するフィルタ清掃装置を有する空気調和機において、プレフィルタの下流側に配置される空気清浄フィルタを前記プレフィルタの裏面に略当接して配置することによりプレフィルタに付着した塵埃を除去すると同時に空気清浄フィルタに付着した細かな塵埃を除去することができ、空気清浄フィルタのメンテナンスの手間を省くことが出来る。
【発明を実施するための最良の形態】
【０００６】
第１の発明は、プレフィルタと、前記プレフィルタと相対的に移動する吸引ノズルと、前記吸引ノズルに連結された吸引装置とを有し、前記吸引ノズルと前記プレフィルタとが相互に相対的に移動し、前記プレフィルタ上の塵埃を除去するフィルタ清掃装置を有する空気調和機において、前記プレフィルタの下流側に配置される空気清浄フィルタを前記プレフィルタの裏面に略当接して配置したもので、当該構成をなすことにより、前記フィルタ清掃装置により前記プレフィルタに付着した塵埃を除去する際に、前記空気清浄フィルタに付着した塵埃をも共に除去することができる。
【０００７】
第２の発明は、特に第１の発明の、空気清浄フィルタの形状を平板状とし、該平面を前記プレフィルタの裏面に略当接したこともので、この構成をなすことによりプレフィルタ清掃と同時に前記空気清浄フィルタを清掃する際に、前記空気清浄フィルタに付着した細かな塵埃をより除去しやすくすることができる。
以下、本発明の実施の形態について、図面を参照しながら説明する。なお、この実施の形態によって本発明が限定されるものではない。
【０００８】
（実施の形態１）
図１ならびに図２は、本発明の第１の実施の形態における空気調和機のフィルタ装置を
示すものである。
【０００９】
図１、図２に示すように、熱交換器を通過する空気の塵埃を除去するプレフィルタ１は、プレフィルタ枠２に取り付けられ、プレフィルタ１の表面に沿って左右に移動可能な吸引ノズル３が設けられる。吸引ノズル３は左右駆動装置８とフィルタ枠２の上下端に設置されたガイドレール４により、エアフィルタ１と狭い間隙を保って円滑に左右に移動することができる。吸引ノズル３には吸引ダクト５が連結され、さらに吸引ダクト５は吸引装置６に連結される。吸引ダクト５は吸引ノズル３の移動に差し支えないように折り曲げ可能なダクトで形成される。さらに、吸引装置６には排気ダクト７が連結され、室外へ引き回される。プレフィルタ１に付着した塵埃は、吸引ノズル３のプレフィルタ側に設けられた吸引口９から吸引されて、吸引ダクト５、吸引装置６、排気ダクト７を経由して室外へ排出される。
【００１０】
ここで、空気清浄フィルタ１０はプレフィルタ１の下流側の直裏に略当接するように配設されている。
【００１１】
プレフィルタは網状の形状をなし空気が通過するため、プレフィルタ上の塵埃が吸引口から吸引される際に、プレフィルタの裏側に略当接するように配設された空気清浄フィルタに付着した塵埃にも吸引力が及ぶ。従ってプレフィルタ１上に堆積した塵埃を吸引ノズル３の吸引口９により除去する際に、空気清浄フィルタ１０に堆積した細かな塵埃をも吸引除去することができ、塵埃の堆積によるプレフィルタ１と共に空気清浄フィルタ１０の機能低下を防ぐことができる。
【００１２】
また、図３に示すように空気清浄フィルタ１０は平板状部分１２を具備することにより、図４に示すような従来の波板状１２部分を具備した空気清浄フィルタに比べ、付着した塵埃を容易に除去することができる。
【産業上の利用可能性】
【００１３】
以上のように、本発明の空気調和機は、プレフィルタの下流側の直裏に空気清浄フィルタを略当接するよに配設することにより、プレフィルタ清掃時に空気清浄フィルタに付着した細かな塵埃をも除去することができるので、家庭用や業務用の空気調和機や空気清浄機など塵埃を捕集するエアフィルタを備えた各種装置のフィルタ自動清掃の用途に適用することができる。
【図面の簡単な説明】
【００１４】
【図１】本発明の空気調和機のフィルタ清掃装置の斜視図
【図２】本発明の空気調和機のフィルタ清掃装置の断面図
【図３】本発明の空気清浄フィルタ図
【図４】従来の空気清浄フィルタ図
【符号の説明】
【００１５】
１  プレフィルタ
２  プレフィルタ枠
３  吸引ノズル
４  ガイドレール
５  吸引ダクト
６  吸引装置
７  排気ダクト
８  左右駆動装置
９  吸引口
１０  空気清浄フィルタ
１１  空気清浄フィルタの平板状部分
１２  空気清浄フィルタの波板状部分
【図１】
2010096407.tif 000003
【図２】
2010096407.tif 000004
【図３】
2010096407.tif 000005
【図４】
2010096407.tif 000006